(57)【要約】【課題】カラーフィルタ変換装置、特にそれを応用した有機電界発光表示装置において、有機発光ユニットの蒸着回数を有効に低減しかつ有機発光ユニットが発生する色光源のフォトレジストに対する透過率及びカラー変換層の変換効率を向上させる。【解決手段】前記カラーフィルタ変換装置の有機電界発光表示装置は、主として、カラー変換層と、第１フォトレジスト及び第２フォトレジストとを基板上に配置しかつ第２フォトレジストの垂直延長位置の上に第１有機発光ユニットを設けた後、さらに、第１フォトレジストと、第２フォトレジストと、カラー変換層の垂直延長位置の上に第２有機発光ユニットを設ける。【選択図】図２
2007035631.tif 000002
【特許請求の範囲】
【請求項１】
主要構造が
基板と、
前記基板上に設置された少なくとも一つのカラー変換層と、
前記カラー変換層が設けられていない基板のその他の部分の上に設置された少なくとも一つの第１フォトレジストと、少なくとも一つの第２フォトレジストとを含む第１カラーフィルタ変換装置と、
前記第１カラーフィルタ変換装置の上に設置された第１電極と、
前記第１電極の上に設置された少なくとも一つの有機発光ユニットと、
前記有機発光ユニットの上に設置された第２電極と、
を含む有機電界発光表示装置。
【請求項２】
前記有機発光ユニットが、第１有機発光ユニットと、第２有機発光ユニットとを含み、かつ前記第１有機発光ユニットが、前記第１フォトレジストの垂直延長位置に設置され、第２有機発光ユニットが、前記カラー変換層と、第１フォトレジストと、第２フォトレジストとの垂直延長位置に設置されて、第１フォトレジストの上部で重ね方式で設置された第１有機発光ユニットと第２有機発光ユニットとを形成し、前記第１有機発光ユニットと前記第２有機発光ユニットの設置位置が互換できることを特徴とする請求項１記載の有機電界発光表示装置。
【請求項３】
前記有機発光ユニットが、第１有機発光ユニットと、第２有機発光ユニットとを含み、かつ前記第２有機発光ユニットが、カラー変換層と第２フォトレジストとの垂直延長位置に設置され、前記第１有機発光ユニットが前記カラー変換層と、第１フォトレジストと、第２フォトレジストとの垂直延長位置に設置されて、カラー変換層と第２フォトレジストの上部で重ね方式で設置された第１有機発光ユニットと第２有機発光ユニットとを形成し、前記第１有機発光ユニットと前記第２有機発光ユニットの設置位置が互換できることを特徴とする請求項１記載の有機電界発光表示装置。
【請求項４】
前記有機発光ユニットが、第１有機発光ユニットと、第２有機発光ユニットとを含み、かつ前記第１有機発光ユニットと第２有機発光ユニットが重ね方式で前記カラー変換層と、第１フォトレジストと、第２フォトレジストとの垂直延長位置に設置され、前記第１有機発光ユニットと前記第２有機発光ユニットの設置位置が互換できることを特徴とする請求項１記載の有機電界発光表示装置。
【請求項５】
前記有機発光ユニットが、第１有機発光ユニットと、第２有機発光ユニットとを含み、かつ前記第２有機発光ユニットを前記カラー変換層と第２フォトレジストとの垂直延長位置に設置し、前記第１有機発光ユニットを第１フォトレジストの垂直延長位置に設置したことを特徴とする請求項１記載の有機電界発光表示装置。
【請求項６】
前記有機発光ユニットが、第１有機発光ユニットと、第２有機発光ユニットとを含み、かつ前記第２有機発光ユニットを第２フォトレジストの垂直延長位置に設置し、前記第１有機発光ユニットを前記カラー変換層と、第１フォトレジストとの垂直延長位置に設置したことを特徴とする請求項１記載の有機電界発光表示装置。
【請求項７】
さらに、前記基板上に固設されて、前記有機発光ユニットの被覆用とするこができるパッキンカバーを含み、前記パッキンカバーのボトム層には第２カラーフィルタ変換装置が設けられたことを特徴とする請求項１記載の有機電界発光表示装置。
【請求項８】
さらに、前記基板上に設置され、あるいは前記第１カラーフィルタ変換装置の上に設置された少なくとも一つの薄膜トランジスタを含み、前記薄膜トランジスタが前記基板上に設置された場合は、前記薄膜トランジスタの上に絶縁層と前記第１電極とをこの順序で設けかつ前記カラー変換層と、第１フォトレジストと、第２フォトレジストとを前記絶縁層の内部に設置し、前記薄膜トランジスタが前記第１カラーフィルタ変換装置の上に設置された場合は、前記薄膜トランジスタの上に前記第１電極を設置することを特徴とする請求項１記載の有機電界発光表示装置。
【請求項９】
前記カラー変換層の下方には、第３フォトレジストが増設されてあることを特徴とする請求項１記載の有機電界発光表示装置。
【請求項１０】
主要構造が
基板と、
前記基板上に設置された少なくとも一つのカラー変換層と、
前記カラー変換層が設置されていない基板の上に設置された少なくとも一つの第１フォトレジストと、少なくとも一つの第２フォトレジストと、
を含むカラーフィルタ変換装置。
【請求項１１】
前記カラーフィルタ変換装置の上には、第１電極が設置され、前記第１フォトレジストの垂直延長位置の上には第１有機発光ユニットが設置され、前記第１フォトレジストと、第２フォトレジストと、カラー変換層との垂直延長位置上には、第２有機発光ユニットが設置され、また、前記第２有機発光ユニットの上には、第２電極が設置されていることを特徴とする請求項１０記載のカラーフィルタ変換装置。
【請求項１２】
主要構造が
基板と、
前記基板上に設置された少なくとも一つの有機発光ユニットと、
前記基板上に固設されかつその内部に前記有機発光ユニットが覆われているパッキンカバーと、
前記パッキンカバーのボトム層に設置された少なくとも一つのカラー変換層と、前記カラー変換層が設置されていないパッキンカバーのボトム層におけるその他の部分に設置された少なくとも一つの第１フォトレジストと少なくとも一つの第２フォトレジストとを含む第２カラーフィルタ変換装置と、
前記基板の上に設置されかつ前記有機発光ユニットの下に位置する第１電極と、
前記有機発光ユニットの上に設置された第２電極と、
を含む有機電界発光表示装置。
【請求項１３】
前記有機発光ユニットが、第１有機発光ユニットと、第２有機発光ユニットとを含み、かつ前記第１有機発光ユニットを前記第１フォトレジストの垂直延長位置に設置し、第２有機発光ユニットを前記カラー変換層と、第１フォトレジストと、第２フォトレジストとの垂直延長位置に設置して、第１フォトレジストの上部で重ね方式で設置された第１有機発光ユニットと第２有機発光ユニットとを形成し、前記第１有機発光ユニットと前記第２有機発光ユニットの設置位置が互換できることを特徴とする請求項１２記載の有機電界発光表示装置。
【請求項１４】
前記基板上に少なくとも一つの薄膜トランジスタが設けられてありかつ前記薄膜トランジスタの上に絶縁層と前記第１電極とをこの順序で設けたことを特徴とする請求項１３記載の有機電界発光表示装置。
【発明の詳細な説明】
【技術分野】
【０００１】
本発明は、カラーフィルタ変換装置に関し、特にカラーフィルタ変換装置及ぴそれを応用した有機電界発光表示装置に関する。
【背景技術】
【０００２】
数ある表示器のなかで、如何にしてフルカラー効果を具備させるかの技術は、往往にして当該表示器の発展が成功するか否かの鍵となる。有機電界発光表示装置（ＯＬＥＤ）について言えば、最もよく見られるフルカラー機能実現の方法には、下記の３種類がある。
（１）三原色の独立画素発光法：すなわち、赤（Ｒ）、緑（Ｇ）、青（Ｂ）の三原色のカラーを放射できる有機電界発光素子を独立に設置し（ｓｉｄｅ  ｂｙ  ｓｉｄｅ）かつこの３種のカラーを適当な割合に混合してフルカラーの表示効果を生じさせる方法である。
しかしながら、この方法で有機電界発光表示装置を製作する場合、多数回の蒸着及びマスキング工程を経た異なるカラーの有機発光ユニットを必要とすることになる。これでは、製造工程が複雑となる。また、蒸着あるいはマスク合わせする際の位置決め精度に対する要求が厳しいために、製品歩留りがさらに低減し易く、製造コストも相対的に増大することになる。
（２）カラー変換法：主として青色光有機電界発光素子を発射光源とし、さらにこの青色光でカラー変換薄膜（ＣＣＭ：ｃｏｌｏｒ  ｃｈａｎｇｅ  ｍｅｄｉａ）を励起して赤緑青（ＲＧＢ）の三原色可視線を取り出すことによって、フルカラー化の目的を達成する方法である。
しかしながら、前記青色光源と赤色光の間のエネルギーの差が大きく、カラー変換と同時に青色光源の赤色光への変換効率が悪いために、有機電界発光表示装置の表示輝度に影響を及ぼすことになる。
（３）カラーフィルタ法：少なくとも一つの白色光源を発生する有機電界発光素子を設置し、さらにこの白色光源をバック光源として技術が既に熟成したカラーフィルタと組み合わせて使用することにより、カラーフィルタで白色光源の光濾過の目的を達成すると共に、これによってフルカラーの表示効果を実現させる方法である。
【０００３】
一般にカラーフィルタを利用して光濾過を行う有機電界発光表示装置は、図１に示すように、カラーフィルタ１０は、主として基板１１の上にブラックマトリクス１３が設けられ、かつブラックマトリクス１３が設けられていない基板１１の上表面には、光濾過機能を有するカラーフィルタ層１５が設けられてある。このカラーフィルタ層１５は、第１フォトレジスト１５１と、第２フォトレジスト１５３と、第３フォトレジスト１５５とを含む。また、ブラックマトリクス１３及びカラーフィルタ層１５の上方には、後続の工程が有利になされるように、平坦化パリアユニット１７が設けられてある。これは平坦化層（ｏｖｅｒ  ｃｏａｔ）１７あるいはバリア層を選択することができる。
【０００４】
また、有機電界発光（ＯＬＥＤ）素子２０の第１電極２１が、バリア層あるいは平坦化層１７の上に直接設置されかつ第１電極２１の上には、有機発光ユニット２３及び第２電極２５が、この順序に設けられ、第１電極２１及び第２電極２５を介して電流を通すことで、有機発光ユニット２３から白色光源Ｓが放射されるようになっている。この白色光源Ｓが、カラーフィルタ層１５を透過することで、光の濾過作用により所定の緑（Ｇ）、青（Ｂ）、赤（Ｒ）の三原色Ｌ１、Ｌ２、Ｌ３となって出射される。そしてこれらを組み合わせることで有機電界発光表示装置２００のフルカラー表示の目的が達成される。
【０００５】
カラーフィルタ１０を使用することによって、有機電界発光表示装置２００では単に一種の白色光源Sを発生できる有機発光ユニット２３のみを必要とするために、蒸着工程数も比較的少なくて済むこととなり、蒸着あるいはマスキング工程の際における位置決め難度を和らげることができる。しかしながら、白色光源Sの波長分布が広いために、カラーフィルタ層１５に対する透過率はよくないので、ＯＬＥＤ表示装置２００の発光輝度及びカラーサチュレーションに影響を及ぼすことになる。すなわち、このために発光品質を有効に向上させることができなくなる。
【発明の開示】
【発明が解決しようとする課題】
【０００６】
そこで、前記従来技術が抱える問題点に対して、如何に有効に蒸着及び位置決め難度を低減させることで製品歩留り、さらに光源のフォトレジストに対する透過率及びカラー変換層の変換効率向上に寄与し得る新たなカラーフィルタ変換装置及びそれを応用した有機電界発光表示装置を設計するかが、本発明の重点である。
【０００７】
本発明の主要目的は、主としてカラー変換層及びフォトレジストを基板上に配置し、これによって前記有機電界発光素子が発生する光源の濾過及ぴ変換を行うと共に有機発光ユニットの蒸着回数を低減して、前記有機電界発光表示装置の工程効率を向上させることができるカラーフィルタ変換装置を提供することにある。
【０００８】
本発明の次の目的は、前記カラー変換層を単一画素のうちの一つの副画素のみに設置し、これによって前記カラー変換層の材料コストを有効に縮減させることができるカラーフィルタ変換装置を提供することにある。
【０００９】
本発明の他の目的は、カラー変換層の設置により、発光効率の良い有機発光ユニットが発生する光源をカラー変換することで、有効に前記有機電界発光表示装置の使用寿命を向上させることができるカラーフィルタ変換装置及びそれを応用した有機電界発光表示装置を提供することにある。
【００１０】
本発明のさらなる目的は、前記光源と、変換後に発生した光の間のエネルギー差が小さいことにより、有効に前記カラー変換層の変換効率と、その使用寿命を向上させることができるカラーフィルタ変換装置及びそれを応用した有機電界発光表示装置を提供することにある。
【００１１】
そこで、上記目的を達成するために、本発明では、主要構造が、基板と、前記基板上に設置された少なくとも一つのカラー変換層と、前記カラー変換層が設けられていない基板のその他の部分の上に設置された少なくとも一つの第１フォトレジストと少なくとも一つの第２フォトレジストとを含む第１カラーフィルタ変換装置と、前記第１カラーフィルタ変換装置の上に設置された第１電極と、前記第１電極の上に設置された少なくとも一つの有機発光ユニットと、前記有機発光ユニットの上に設置された第２電極と、を含む有機電界発光表示装置を提供する。
【００１２】
また、上記目的を達成するために、本発明では、さらに主要構造が、基板と、前記基板上に設置された少なくとも一つのカラー変換層と、前記カラー変換層が設置されていない基板の上に設置された少なくとも一つの第１フォトレジストと、少なくとも一つの第２フォトレジストと、を含むカラーフィルタ変換装置を提供する。
【００１３】
また、本発明は、主要構造が、基板と、前記基板上に設置された少なくとも一つの有機発光ユニットと、前記基板上に固設されかつその内部に前記有機発光ユニットが覆われているパッキンカバーと、前記パッキンカバーのボトム層に設置された少なくとも一つのカラー変換層と、前記カラー変換層が設置されていないパッキンカバーのボトム層におけるその他の部分に設置された少なくとも一つの第１フォトレジストと少なくとも一つの第２フォトレジストとを含む第２カラーフィルタ変換装置と、前記基板の上に設置されかつ前記有機発光ユニットの下に位置する第１電極と、前記有機発光ユニットの上に設置された第２電極と、を含む有機電界発光表示装置を提供する。
【発明を実施するための最良の形態】
【００１４】
以下、本発明の特徴、構造及びそれによって得られる効果を理解し易くするために、好ましい実施例及び添付図面について詳細に説明する。
【００１５】
先ず、図２は、本発明カラーフィルタ変換装置及びそれを応用した有機電界発光表示装置の好ましい一実施例の断面概略図である。同図に示すように、本発明の第１カラーフィルタ変換装置３０は、主として、基板３１の上に少なくともブラックマトリクス３３を設け、ブラックマトリクス３３及び基板３１の上でブラックマトリクス３３が設けられていない部分にはカラー変換層３６１が設けられてある。そして、カラー変換層３６１が設けられていない基板３１のその他の位置には、第１フォトレジスト３５１及び第２フォトレジスト３５３が設けられてある。また、ブラックマトリクス３３と、カラー変換層３６１と、第１フォトレジスト３５１と、第２フォトレジスト３５３との上方には、平坦バリアユニット３７、例えば、平坦化層及び／又はバリア層が設けられてある。この平坦バリアユニット３７の設置によって、後に続く前記有機電界発光素子４０の設置を有利に行うことができる。
【００１６】
前記第１カラーフィルタ変換装置３０の平坦バリアユニット３７の上方には、少なくとも一つの有機電界発光素子４０の第１電極４１が設置されかつ前記第１電極４１の上には、有機発光ユニット４３と、第２電極４５とがこの順序で設けられてある。ここで、有機発光ユニット４３は、少なくとも一つの第１有機発光ユニット４３１と、少なくとも一つの第２有機発光ユニット４３３とを含み、かつ第１有機発光ユニット４３１は、第１フォトレジスト３５１の垂直延長位置に設置され、第２有機発光ユニット４３３は、第１フォトレジスト３５１と、第２フォトレジスト３５３と、カラー変換層３６１との垂直延長位置に設置されている。これにより、第１フォトレジスト３５１の垂直延長位置の上には、第１有機発光ユニット４３１及び第２有機発光ユニット４３３を重ねた部分が存在することになる。
【００１７】
また、第１電極４１と第２電極４５の間に作動電流を印加すると、第２有機発光ユニット４３３が第２光源Ｓ２を発生し、重ねられた第１有機発光ユニット４３１と第２有機発光ユニット４３３とが第３光源Ｓ３を発生し、第２光源Ｓ２が第２フォトレジスト３５３を透過した後、濾過されて第２色光Ｌ２を発生し、カラー変換層３６１を透過した後、第２光源Ｓ２が第３色光Ｌ３に変換され、第３光源Ｓ３が前記第１フォトレジスト３５１を透過した後、濾過されて第１色光Ｌ１を形成する。ここで、適當な割合で第１色光Ｌ１と、第２色光Ｌ２と、第３色光Ｌ３とを混合すれば、有機電界発光表示装置４００のフルカラーの表示効果を達成することができる。
【００１８】
実際に応用する場合は、第２光源Ｓ２及び第３光源Ｓ３は、それぞれを緑色光源及び青緑色光源とし、第１フォトレジスト３５１及び第２フォトレジスト３５３は、それぞれを青色フォトレジスト及び緑色フォトレジストとし、第２光源Ｓ２（緑色光源）及び第３光源Ｓ３（青緑色光源）が、それぞれ緑色フォトレジスト（３５３）及び青色フォトレジスト（３５１）を透過した後、濾過されて第２色光Ｌ２（緑色光）及び第１色光Ｌ１（青色光）となる。また、第２光源Ｓ２が、カラー変換層３６１を透過した後、緑光光源Ｓ２を第３色光Ｌ３（赤色光）に変換する。このため、カラー変換層３６１は、緑色光源を赤色光に変換することができるカラー変換層を選択することになる。
【００１９】
第２光源Ｓ２（緑色光源）及び第３光源Ｓ３（青緑色光源）は、従来構造の白色光源Ｓと比較すると、第２フォトレジスト３５３（緑色レジスト）及び第１フォトレジスト３５１（青色レジスト）に対して、みな良好な透過率を有している。これによって有機電界発光表示装置４００の表示輝度を有効に向上させることができる。また、カラー変換層３６１が、第２光源Ｓ２（緑色光源）を第３色光Ｌ３（赤色光）に変換するようになっている。第２光源Ｓ２（緑色光源）と第３色光Ｌ３（赤色光）の間の波長とエネルギーの差異が、従来構造（ＣＣＭ）のとより接近しているので、第２光源Ｓ２（緑色光源）と、第３色光Ｌ３（赤色光）との間の変換効率を向上させることができる。
【００２０】
その他の有機電界発光素子と比較すると、従来の有機電界発光素子４０のうちの赤色光発生用の有機電界発光素子は、発光輝度あるいは使用寿命を問わずその他の有機電界発光素子と比較すれば、すべてに一定の差異が有って容易に赤色光の輝度不足となるので、有機電界発光表示装置４００の表示に取って不利である。しかしながら、カラー変換層３６１を使用することによって、赤色光を発生できる有機電界発光素子を設置しなくても、赤色光の発生と、有機電界発光表示装置４００でフルカラー化表示の目的を達成することができる。これによって、有効に有機電界発光表示装置４００の使用寿命を向上させることができる。
【００２１】
また、本発明の上記実施例では、第１有機発光ユニット４３１と、第２有機発光ユニット４３３の設置順序は、交換することができる。例えば、先ず、第２有機発光ユニット４３３を設置してから、第２有機発光ユニット４３３の上に第１有機発光ユニット４３１を設置してもよい。
【００２２】
次に、図３は、本発明の他の一実施例の断面概略図である。同図に示すように、有機電界発光表示装置４０１は、主として基板３２の上に第１有機発光ユニット４３１と、第２有機発光ユニット４３３とが設置されてある。さらに、基板３２の上にパッキンカバー３９が設置されてある。そして、第１有機発光ユニット４３１と、第２有機発光ユニット４３３とがパッキンカバー３９に覆われている。また、パッキンカバー３９のボトムには、第２カラーフィルタ変換装置７０が設置されている。それは第１フォトレジスト３５１と、第２フォトレジスト３５３と、カラー変換層３６１とを含むものである。これによって、有機電界発光表示装置４０１を頂部発光（ｔｏｐ  ｅｍｉｓｓｉｏｎ）式として発光するようになる。
【００２３】
また、第２有機発光ユニット４３３を、第１フォトレジスト３５１と、第２フォトレジスト３５３と、カラー変換層３６１との垂直延長位置に設置し、第１有機発光ユニット４３１を、第１フォトレジスト３５１の垂直延長位置の第２有機発光ユニット４３３の上に設置している。当然のことながら、本発明の別の一実施例では、基板３２にさらに第１カラーフィルタ変換装置３０を設置することにより、有機電界発光表示装置の両面発光を実現することができる。
【００２４】
次に、図４は、本発明の他の一実施例の断面概略図である。同図に示すように、有機電界発光表示装置４０３は、主としてカラーフィルタ３５の上にカラー変換層３６１が設置されている。例えばカラー変換層３６１をカラーフィルタ３５の第３フォトレジスト３５５の垂直延長位置に設置して、光の濾過とカラー変換を行わせるようになっている。当然のことながら、第３フォトレジスト３５５を設置せずに、第３フォトレジスト３５５の設置領域に空洞部あるいは透光部を形成してもよい。
【００２５】
また、有機電界発光素子４０が、カラーフィルタ３５と、カラー変換層３６１の上方に設置されている。ここで、第２有機発光ユニット４３３は、第２フォトレジスト３５３と、第３フォトレジスト３５５（カラー変換層３６１）との垂直延長位置に設置され、第１有機発光ユニット４３１は、第１フォトレジスト３５１と、第２フォトレジスト３５３と、第３フォトレジスト３５５（カラー変換層３６１）との垂直延長位置に設置されている。これにより、第２フォトレジスト３５３と、第３フォトレジスト３５５（カラー変換層３６１）との垂直延長位置では、第１有機発光ユニット４３１と、第２有機発光ユニット４３３とが重ねられたことになる。
【００２６】
重ね方式で設置された第１有機発光ユニット４３１と、第２有機発光ユニット４３３とが、第３光源Ｓ３を発生する。そして、一部の第３光源Ｓ３が、カラー変換層３６１のカラー変換及び第３フォトレジスト３５５の光濾過の過程をこの順序で経由して第３色光Ｌ３、例えば、第３光源Ｓ３を青緑色光源とした場合では、第３色光Ｌ３が赤色光となるようになっている。
【００２７】
また、図５は、本発明の他の一実施例の断面概略図である。同図に示すように、本発明の有機電界発光表示装置４０５は、主として第１カラーフィルタ変換装置３０の上に第１有機発光ユニット４３１と、第２有機発光ユニット４３３とが設置されている。このカラー変換層３６１の機能面積Ａ３は、第１フォトレジスト３５１の機能面積Ａ１、あるいは第２フォトレジスト３５３の機能面積Ａ２よリも大きく設定されている。
【００２８】
本発明の実施例では、第２有機発光ユニット４３３が、カラー変換層３６１と、第２フォトレジスト３５３との垂直延長位置に設置され、第１有機発光ユニット４３１が、第１フォトレジスト３５１の垂直延長位置に設置されている。そして、カラー変換層３６１の第２有機発光ユニット４３３が発生する第２光源Ｓ２に対するカラー変換効率不良を避けるために、カラー変換層３６１を設置する際に、その機能面積Ａ３を第１フォトレジスト３５１と、第２フォトレジスト３５３の機能面積Ａ１とＡ２よりも、大きく設定することによリ第３色光Ｌ３の輝度を向上させて、第１色光Ｌ１と、第２色光Ｌ２と、第３色光Ｌ３との間の表示輝度の均一性を維持することができる。
【００２９】
また、実際に使用する場合では、第１色光Ｌ１と、第２色光Ｌ２の光強度の差異によって、第１フォトレジスト３５１と、第２フォトレジスト３５３の機能面積を調整することができる。例えば、第２有機発光ユニット４３３の発光効率が、第１有機発光ユニット４３１の発光効率よりも優れている場合では、第２色光Ｌ２の発光輝度が第１色光Ｌ１の発光輝度よりも高くなるので、第１フォトレジスト３５１の機能面積Ａ１を第２フォトレジスト３５３の機能面積Ａ２よりも大きくすることができる。
【００３０】
また、図６は、本発明の他の一実施例の断面概略図である。同図に示すように、本発明の有機電界発光表示装置は、アクティブ（ａｃｔｉｖｅ  ｄｒｉｖｅ）有機電界発光表示装置とすることができる。それは、主として基板５１の上に少なくとも一つの薄膜トランジスタ（ＴＦＴ）５３を設置し、さらに、前記基板５１と、前記薄膜トランジスタ５３との上が、少なくとも一つの絶縁層５４で被覆されている。ここで、前記絶縁層５４の内部には少なくとも一つの第１フォトレジスト５５１と、第２フォトレジスト５５３と、カラー変換層５６１とが設置されてある。また、前記絶縁層５４の上には、少なくとも一つの第１電極６１が設けられかつこの第１電極６１は、それぞれが対応する薄膜トランジスタ５３と電気的に接続されている。ここで、第１電極６１の上には少なくとも一つの有機発光ユニット６３を設置することによって、ＣＯＡ（ｃｏｌｅｒ  ｆｉｌｔｅｒ  ｏｎ  ａｒｒａｙ）のアクティブ有機電界発光表示装置が形成されるようになっている。
【００３１】
また、有機発光ユニット６３の設置は、主として第１電極６１の上に第１有機発光ユニット６３１と、第２有機発光ユニット６３３とを形成することである。ここで、第１有機発光ユニット６３１が、第１フォトレジスト５５１と、カラー変換層５６１の垂直延長位置に設置され、第２有機発光ユニット６３３が第２フォトレジスト５５３の垂直延長位置に設置されかつ第１有機発光ユニット６３１と、第２有機発光ユニット６３３の内部は、選択的に正孔注入層６３５（ＨＩＬ）と、正孔輸送層６３６（ＨＴＬ）と、有機発光層６３と、電子輸送層（ＥＴＬ）６３７と、電子注入層（ＥＩＬ）６３８とを含ませることができる。そして、電子注入層６３８の上には、さらに第２電極６５が設けられてある。
【００３２】
有機発光ユニット６３（第１有機発光ユニット６３１あるいは第２有機発光ユニット６３３）は、単層型有機発光層あるいは複数層積層型有機発光層で構成されたものを選択することができる。例えば、第１有機発光ユニット６３１が、単層型有機発光層であってその内部に第１有機発光層６３１１を含むもの、第２有機発光ユニット６３３が、複数層積層型有機発光層であってその内部に第２有機発光層６３３１と、第３有機発光層６３３３とを含むものを選択できる。
【００３３】
最後に、図７は、本発明の他の一実施例の断面概略図である。同図に示すように、本発明のアクティブ有機電界発光表示装置６０３は、主として、カラーフィルタ変換装置５０の上に少なくとも一つの薄膜トランジスタ５３が設置されてある。そして、薄膜トランジスタ５３と、基板５１の上には、絶縁層５４と第１電極６１とをこの順序で設置した後、さらに第１電極６１の上に有機発光ユニット６３を設けることによってＡＯＣ（ａｒｒａｙ  ｏｎ  ｃｏｌｏｒ  ｆｉｌｔｅｒ）構造を構成するようになっている。
【００３４】
有機発光ユニット６３は、主としてカラーフィルタ変換装置５０の第１フォトレジスト５５１、第２フォトレジスト５５３と、カラー変換層５６１との垂直延長位置の上部に、重ね方式で設置された第１有機発光ユニット６３１と、第２有機発光ユニット６３３とを設けることによって設置される。また、カラーフィルタ変換装置５０のカラー変換層５６１の設置位置は、変更することができる。
【００３５】
有機電界発光表示装置６０３の単一画素（ｐｉｘｅ１）内では、第１フォトレジスト５５１と、第２フォトレジスト５５３と、カラー変換層５６１とを含むので、第１フォトレジスト５５１と、第２フォトレジスト５５３と、カラー変換層５６１とは、それぞれがみな単一画素のうちの一つの副画素（ｓｕｂ  ｐｉｘｅｌ）に配置されている。ここで、カラー変換層５６１は、フルカラー有機電界発光表示装置の画素の両側における副画素の位置に限定されない。本発明の実施例では、カラー変換層５６１が、中間の副画素の位置に設置されている。当然のことながら、第１フォトレジスト５５１と、第２フォトレジスト５５３の設置位置は変更することができる。
【００３６】
本実施例では、第１有機発光ユニット６３１と、第２有機発光ユニット６３３とを、重ね方式でカラーフィルタ変換装置５０上に設置したことにより、第３光源Ｓ３を発生する。しかしながら、実際に応用する場合は、第１有機発光ユニット６３１と、第２有機発光ユニット６３３とは、混合蒸着の方法で設置して単層の有機発光ユニット６３を構成しても、同様に第３光源Ｓ３発生の目的を達成することができる。例えば、有機発光ユニット６３は、青色光源あるいは青緑色光源を発生する有機電界発光ユニット６３にすることができる。また、前記有機発光ユニット６３は、少なくとも一つの主発光体（ｈｏｓｔ  ｅｍｉｔｔｅｒ；Ｈ）に少なくとも一種のドーパント（Ｄ）をドープしたドープト型有機発光層を使用しても、同様に第１光源Ｓ１及び第２光源Ｓ２を生じさせる目的を達成することができる。
【００３７】
本発明の他の一実施例では、第１フォトレジスト５５１と、第２フォトレジスト５５３と、カラー変換層５６１とは、パッキンカバー（図示していない）のボトムに設置して頂部発光のアクティブ有機電界発光表示装置を構成することができる。
【００３８】
上記を総合すると、本発明は、カラーカラーフィルタ変換装置、特にカラーレベルを有効に向上できるばかりでなく、製造工程も有効に簡易化できかつ製品歩留りも向上できるカラーカラーフィルタ変換装置及びそれを応用した有機電界発光表示装置に関するものであることが分る。
【００３９】
以上、本発明の好ましい実施例について説明したが、本発明はこれらに限定されるものではなく、当業者が本発明の思想と範囲を逸脱せずに、様々の変更と改善をなし得ることはもちろんである。それゆえ、本発明の保護範囲は添付クレームによって定義されたものと見なすべきである。
【図面の簡単な説明】
【００４０】
【図１】従来の有機電界発光表示装置の断面概略図である。
【図２】本発明カラーフィルタ変換装置及びそれを応用した有機電界発光表示装置の好ましい一実施例の断面概略図である。
【図３】本発明の他の一実施例の断面概略図である。
【図４】本発明の他の一実施例の断面概略図である。
【図５】本発明の他の一実施例の断面概略図である。
【図６】本発明のアクティブ有機電界発光表示装置の断面概略図である。
【図７】本発明の他の一実施例の断面概略図である。
【符号の説明】
【００４１】
１０  カラーフィルタ
１１  基板
１３  ブラックマトリクス
１５  カラーフィルタ層
１７  平坦化層
２０  有機電界発光素子
２１  第１電極
２３  有機発光ユニット
２５  第２電極
３０  第１カラーフィルタ変換装置
３１  基板
３２  基板
３３  ブラックマトリクス
３５  カラーフィルタ
３７  平坦バリア層
３９  パッキンカバー
４０  有機電界発光素子
４１  第１電極
４３  有機発光ユニット
４５  第２電極
５０  カラーフィルタ変換装置
５１  基板
５３  薄膜トランジスタ
５４  絶縁層
６０  有機電界発光素子
６１  第１電極
６３  有機発光ユニット
６５  第２電極
７０  第２カラーフィルタ変換装置
１５１  第１フォトレジスト
１５３  第２フォトレジスト
１５５  第３フォトレジスト
２００  有機電界発光表示装置
３５１  第１フォトレジスト
３５３  第２フォトレジスト
３５５  第３フォトレジスト
３６１  カラー変換層
４００  有機電界発光表示装置
４０１  有機電界発光表示装置
４０３  有機電界発光表示装置
４０５  有機電界発光表示装置
４３１  第１有機発光ユニット
４３３  第２有機発光ユニット
５５１  第１フォトレジスト
５５３  第２フォトレジスト
５６１  カラー変換層
６０１  アクティブ有機電界発光表示装置
６０３  アクティブ有機電界発光表示装置
６３１  第１有機発光ユニット
６３３  第２有機発光ユニット
６３５  正孔注入層
６３６  正孔輸送層
６３７  電子輸送層
６３８  電子注入層
６３１１  第１有機発光層
６３３１  第２有機発光層
６３３３  第３有機発光層
【図１】
2007035631.tif 000003
【図２】
2007035631.tif 000004
【図３】
2007035631.tif 000005
【図４】
2007035631.tif 000006
【図５】
2007035631.tif 000007
【図６】
2007035631.tif 000008
【図７】
2007035631.tif 000009